(57)【要約】      （修正有）【課題】パッキンを取り付ける際の組立工数やコストを減らすことができ、しかもパッキンの浮き上がりを防止することにより、パッキンと内扉の接触を防止することができるとともに、気密性の向上を図ることのできる自動販売機を提供する。【解決手段】パッキン２０に設けられた係合部２５を外箱１２ａの延出部に係合させて、パッキン２０を外箱１２ａの延出部に仮止めし、外箱１２ａと底面板１２ｂとの隙間１２ｃにパッキン２０の挿入片２６を挿入し、ネジ２７をパッキン２０のネジ挿通孔及び底面板１２ｂのネジ挿通孔に挿入してシュート板１５のネジ孔に螺合することにより、パッキン２０の取付片２３をシュート板１５の取付片と共に底面板１２ｂの屈曲片に締結する。また、外箱１２ａと底面板１２ｂとの隙間１２ｃにパッキン２０の挿入片２６を挿入するので、パッキン２０の上下方向への移動が規制され、パッキン２０の落下等が防止される。【選択図】図４
2007249731.tif 000002
【特許請求の範囲】
【請求項１】
前面を開口した自動販売機本体と、自動販売機本体の前面を開閉する外扉と、自動販売機本体の外箱の内側に断熱壁によって囲まれた商品収納庫と、商品収納庫の底面に配置された底面板と、商品収納庫の前面を開閉する断熱性の内扉と、内扉に密着するように商品収納庫の下部前端に設けられ、本体部と中空状弾性部とから構成されたパッキンとを備えた自動販売機において、
前記パッキンに、外箱の前端の下方に延びる延出部と係合し、パッキンの前後方向への移動を規制する係合部を設けた
ことを特徴とする自動販売機。
【請求項２】
前記係合部をパッキンの本体部の背面下端側に形成した
ことを特徴とする請求項１記載の自動販売機。
【請求項３】
前記パッキンに、外箱の前端側と底面板の前端側との間に前方から挿入される挿入部を設けた
ことを特徴とする請求項１又は２記載の自動販売機。
【発明の詳細な説明】
【技術分野】
【０００１】
本発明は、例えば缶、ビンまたはペットボトル入り飲料等の商品を冷却または加熱して販売する自動販売機に関するものである。
【背景技術】
【０００２】
従来、この種の自動販売機としては、前面を開口した自動販売機本体と、自動販売機本体の前面を開閉する外扉と、自動販売機本体内に設けられた断熱性の商品収納庫と、商品収納庫の前面を開閉する断熱性の内扉とを備え、商品収納庫内には、例えばサーペンタイン式の商品収納コラムが設けられているものが知られている。また、商品収納庫内には、冷却器及び送風機からなる冷却ユニット及びヒータが設けられ、冷たい商品を販売する場合は冷却ユニットによって収納商品を冷却し、温かい商品を販売する場合はヒータによって収納商品を加熱している。
【０００３】
ところで、前記自動販売機では、商品収納庫の気密性及び断熱性を保つため、図７に示すように商品収納庫１の前端に内扉２に密着するパッキン３を取付けている（例えば、特許文献１参照）。
【０００４】
前記パッキン３は合成樹脂によって形成され、商品収納庫１側に保持される硬質の本体部３ａと、内扉２に接触する弾性変形可能な軟質の中空状弾性部３ｂとを一体に成形してなる。本体部３ａには取付板４が形成され、取付板４を内箱１ａの延出部とシュート板１ｂにネジ５によって固定することにより、パッキン３が商品収納庫１側に取付けられるようになっている。
【特許文献１】特開２００５−２２６９１３号公報
【発明の開示】
【発明が解決しようとする課題】
【０００５】
しかしながら、従来の自動販売機では、パッキン３を商品収納庫１側に取付ける際に、内箱１ａにパッキン３を図示しない別部材のネジを用いて予め仮止めをした後、さらにシュート板１ｂとパッキン３とをネジ５によって共締めをする必要があった。これにより、部品点数や作業工程が多くなり、組立工数及びコストの増加を来すという問題点があった。また、パッキン３の上半分は内箱１ａに固定されるが下半分は固定されていないので、充填材等の他部品の干渉によりパッキン３に浮き上がりが生じ、パッキン３が内扉２と接触したり、浮き上がりが生じた箇所から外気が侵入し気密性が低下するという問題点があった。
【０００６】
本発明は前記問題点に鑑みてなされたものであり、その目的とするところは、パッキンを取り付ける際の組立工数やコストを減らすことができ、しかもパッキンのに浮き上がりを防止することにより、パッキンと内扉との接触を防止することができるとともに、気密性の向上を図ることのできる自動販売機を提供することにある。
【課題を解決するための手段】
【０００７】
上記目的を達成するために、本発明の自動販売機は、前面を開口した自動販売機本体と、自動販売機本体の前面を開閉する外扉と、自動販売機本体の外箱の内側に断熱壁によって囲まれた商品収納庫と、商品収納庫の底面に配置された底面板と、商品収納庫の前面を開閉する断熱性の内扉と、内扉に密着するように商品収納庫の下部前端に設けられ、本体部と中空状弾性部とから構成されたパッキンとを備えた自動販売機において、前記パッキンに、外箱の前端の下方に延びる延出部と係合し、パッキンの前後方向への移動を規制する係合部を設けた構成となっている。
【０００８】
本発明の自動販売機によれば、パッキンを商品収納庫側に取付ける際に、パッキンに設けられた係合部を外箱の延出部に係合させて、パッキンを外箱の延出部に保持させて仮止めした後にパッキンを商品収納庫に取り付けることにより、別部材のネジを用いた仮止めの工程を必要としない。また、外箱の延出部と係合した係合部によってパッキンの前後方向への移動が規制されることから、パッキンの前後方向への浮き上がりが防止される。
【発明の効果】
【０００９】
本発明の自動販売機によれば、別部材のネジを用いた仮止めの工程を必要としないので、パッキンを取り付ける際の組立工数やコストを削減することができる。また、パッキンの前後方向への浮き上がりが防止されるので、パッキンと内扉との接触を防止することができるとともに気密性の向上を図ることができる。
【発明を実施するための最良の形態】
【００１０】
図１乃至図６は本発明の一実施形態を示すもので、図１は自動販売機の全体斜視図、図２は外扉及び内扉を開放した自動販売機の全体斜視図、図３は自動販売機の側面断面図、図４はその要部側面断面図、図５はその要部分解側面図、図６はその要部分解斜視図である。
【００１１】
この自動販売機は、前面を開口した自動販売機本体１０と、自動販売機本体１０の前面を開閉する外扉１１と、自動販売機本体１０の外箱１２ａの内側に断熱壁によって囲まれた商品収納庫１２と、商品収納庫１２の底面に配置された底面板１２ｂと、商品収納庫１２の前面を開閉する断熱性の内扉１３と、商品収納庫１２内に設置された複数の商品収納コラム１４と、商品収納庫１２内の下部に設けられたシュート板１５とを備えている。
【００１２】
自動販売機本体１０は、商品収納庫１２の下方に機械室１０ａを有し、機械室１０ａ内には商品収納庫１２内の冷却ユニットに接続される冷凍機器等（図示せず）が収容されている。
【００１３】
外扉１１は、幅方向一端側を取付板１１ａを介して自動販売機本体１０に回動自在に支持され、その前面には商品サンプル１１ｂ、商品選択スイッチ１１ｃ、硬貨投入口１１ｄ、紙幣投入口１１ｅ、硬貨返却口１１ｆ及び商品取出口１１ｇが設けられている。
【００１４】
商品収納庫１２は前面を開口し、底面板１２ｂは内箱の底面を形成している。外箱１２ａと底面板１２ｂの前端側との間には、後述するパッキン２０を挿入する隙間１２ｃが形成され、この隙間１２ｃには外箱１２ａと底面板１２ｂとの間に介在する第１の断熱材１２ｄが設けられている。また、外箱１２ａの下方には第２の断熱材１２ｅが設けられている。商品収納庫１２内には冷却器及び送風機からなる冷却ユニット１６及びヒータ（図示せず）が設けられ、冷たい商品を販売する場合は冷却ユニット１６によって収納商品を冷却し、温かい商品を販売する場合はヒータによって収納商品を加熱するようになっている。冷却ユニット１６の冷却器は冷媒配管１６ａを介して機械室１０ａ内の冷凍機器に接続され、外箱１２ａ及び底面板１２ｂの前端には冷媒配管１６ａを挿通する切り欠き１２ｄが設けられている。また、外箱１２ａの前端は下方に延びる延出部１２ｆを有し、更に、底面板１２ｂの前端は上方に延びる屈曲片１２ｇを有し、屈曲片１２ｇにはパッキン２０を取付けるための複数のネジ挿通孔１２ｈが設けられている。
【００１５】
内扉１３は、商品収納庫１２の前面開口部を開閉するように幅方向一端側を自動販売機本体１０に回動自在に支持され、その下部には複数の商品搬出口１３ａが設けられている。
【００１６】
各商品収納コラム１４は、いわゆるサーペンタイン式の周知の構造からなり、商品収納庫１２内に幅方向及び前後方向に複数ずつ設けられている。即ち、各商品収納コラム１４は、上端側の商品投入口１４ａから投入された商品Ａを蛇行状の商品通路１４ｂ内に上下方向に積み重ねて収納し、その下端側の商品搬出機構１４ｃによって下方の商品Ａから順に一つずつ落下搬出するようになっている。
【００１７】
シュート板１５は前方に向かって下り傾斜をなすように形成され、商品収納庫１２内の冷却ユニット１６を上方から覆うように配置されている。この場合、シュート板１５には多数の通気孔１５ａが設けられ、冷却ユニット１６から送風される空気を各通気孔１５ａを介して庫内側に流通するようになっている。また、シュート板１５の前端側には下方に向かって屈曲する取付片１５ｂが設けられ、取付片１５ｂの幅方向複数箇所にはネジ孔１５ｃが設けられている。
【００１８】
また、前記商品収納庫１２の前端下部には、商品収納庫１２の気密性及び断熱性を保つためのパッキン２０が取付けられている。このパッキン２０は合成樹脂部品によって形成され、商品収納庫１２側に保持される硬質の本体部２１と、内扉１３に接触する弾性変形可能な軟質の中空状弾性部２２とを一体に成形してなる。即ち、内扉１３を閉じるとその内面側がパッキン２０の弾性部２２に圧接し、商品収納庫１２の気密が保持されるようになっている。本体部２１は上下方向に平板状に延び、その上端側には商品収納庫１２側に固定される取付片２３が形成され、取付片２３にはネジ挿通孔２３ａが設けられている。本体部２１はその下端から前方の斜め上方に延びるドレン受け２４を有し、ドレン受け２４によって内扉１３から滴下するドレン水を受容するようになっている。また、パッキン２０の本体部２１の背面下端側には、外箱１２ａの延出部１２ｆと係合し、パッキン２０の前後方向への移動を規制する係合部２５が設けられている。また、パッキン２０の背面側には商品収納庫１２の隙間１２ｃに挿入される挿入片２６が設けられ、挿入片２６は取付片２３の背面側から後方に向かって垂直に延びるように形成されている。この挿入片２６の下面側には上下方向に弾性変形可能な軟質の弾性部２６ａが設けられ、弾性部２６ａは挿入片２６の先端から基端側に向かって延設されている。
【００１９】
以上のように構成された自動販売機において、商品収納庫１２側にパッキン２０を取付ける場合には、まずパッキン２０に設けられた係合部２５を外箱１２ａの延出部１２ｆに係合させて、パッキン２０を外箱１２ａの延出部１２ｆに仮止めする。そして、外箱１２ａと底面板１２ｂとの隙間１２ｃにパッキン２０の挿入片２６を挿入し、ネジ２７をパッキン２０のネジ挿通孔２３ａ及び底面板１２ｂのネジ挿通孔１２ｈに挿入してシュート板１５のネジ孔１５ｃに螺合することにより、パッキン２０の取付片２３をシュート板１５の取付片１５ｂと共に底面板１２ｂの屈曲片１２ｇに締結する。このとき、外箱１２ａの延出部１２ｆと係合した係合部２５によって、パッキン２０の前後方向への移動が規制されることから、パッキン２０の前後方向への浮き上がりが防止される。また、外箱１２ａと底面板１２ｂとの隙間１２ｃにパッキン２０の挿入片２６を挿入することによって、パッキン２０の上下方向への移動が規制されることから、パッキン２０の落下等が防止される。
【００２０】
このように、本実施形態の自動販売機によれば、パッキン２０に係合部２５を設けることにより、別部材であるネジを用いた仮止めの工程を削減できるので、パッキン２０を取り付ける際の組立工数やコストを削減することができる。
【００２１】
また、パッキン２０に設けられた係合部２５によって、パッキン２０の前後方向への浮き上がりが防止されるので、パッキン２０と内扉１３との接触を防止することができるとともに自動販売機の気密性の向上を図ることができる。
【００２２】
さらに、パッキン２０の取付片２３をシュート板１５の取付片１５ａと共に底面板１２ｂの屈曲片１２ｇにネジ止めするようにしたので、パッキン２０及びシュート板１５を共通のネジ２７によって底面板１２ｂに固定することができ、パッキン２０及びシュート板１５の着脱作業を極めて容易に行うことができる。例えば、前記自動販売機では、メンテナンスや修理の際に冷却ユニット１６を冷媒配管１６ａごと取外す場合があるが、冷却ユニット１６はシュート板１５の下方に配置され、冷媒配管１６ａはパッキン２０と商品収納庫１２の切り欠き１２ｄとの間を挿通しているため、パッキン２０及びシュート板１５を商品収納庫１２から取外し、メンテナンス等が終了した後に再び取付ける必要があり、このような場合の作業性を格段に向上させることができる。
【００２３】
また、外箱１２ａと底面板１２ｂとの隙間１２ｃにパッキン２０の挿入片２６を挿入することによってパッキン２０の落下等が防止されるので、パッキン２０によって確実に商品収納庫１２の気密性及び断熱性を保つことができる。
【００２４】
尚、前記実施形態の底面板１２ｂは内箱の底面を形成していたが、内箱を備えていないものにも適用できる。
【図面の簡単な説明】
【００２５】
【図１】本発明の一実施形態を示す自動販売機の全体斜視図
【図２】外扉及び内扉を開放した自動販売機の全体斜視図
【図３】自動販売機の側面断面図
【図４】自動販売機の要部側面断面図
【図５】自動販売機の要部分解側面図
【図６】自動販売機の要部分解斜視図
【図７】従来例を示す自動販売機の要部側面断面図
【符号の説明】
【００２６】
１０…自動販売機本体、１１…外扉、１２…商品収納庫、１２ａ…外箱、１２ｂ…底面板、１２ｃ…隙間、１２ｄ…第１の断熱材、１２ｅ…第２の断熱材、１２ｆ…延出部、１３…内扉、１５…シュート板、２０…パッキン、２５…係合部、２６…挿入片。
【図１】
2007249731.tif 000003
【図２】
2007249731.tif 000004
【図３】
2007249731.tif 000005
【図４】
2007249731.tif 000006
【図５】
2007249731.tif 000007
【図６】
2007249731.tif 000008
【図７】
2007249731.tif 000009